(57)【要約】【課題】  ワンタッチで簡単に脱着できて操作性が良いうえに、しっかりと固定でき、低コストの尺八の歌口保護用クリップ式カバーを提供することを目的とする。【解決手段】  歌口１４の外側傾斜面１４ａを覆う斜めカバー板１と、歌口１４上端の外側傾斜面１４ａ側の略半分を覆う上部カバー板２と、歌口１４の吹込孔１３の略中央部に垂直に嵌挿される垂直保持板３とを一枚の弾性板材を折曲して一体に形成し、前記垂直保持板３の横幅のサイズを吹込孔１３の内径より僅かに大き目とすると共に、垂直保持板３中央部に下端開口の長溝４を設け、この垂直保持板３を上方から吹込孔１３に挿入したとき、当該垂直保持板３の両側３ａ、３ａが吹込孔１３内壁１３ａに押圧状態に付勢保持されるように構成される。【選択図】          図３
0003106007.tif 000002
【実用新案登録請求の範囲】
【請求項１】
歌口の外側傾斜面を覆う斜めカバー板と、歌口上端の外側傾斜面側の略半分を覆う上部カバー板と、歌口の吹込孔の略中央部に垂直に嵌挿される垂直保持板とを一枚の弾性板材を折曲して一体に形成し、前記垂直保持板の横幅のサイズを吹込孔の内径より僅かに大き目とすると共に、垂直保持板中央部に下端開口の長溝を設け、この垂直保持板を上方から吹込孔に挿入したとき、当該垂直保持板の両側が吹込孔内壁に押圧状態に付勢保持されるようしたことを特徴とする尺八の歌口保護用クリップ式カバー。
【考案の詳細な説明】
【技術分野】
【０００１】
本考案は、尺八の歌口保護用クリップ式カバーに関する。
【背景技術】
【０００２】
従来、尺八を保護するカバーとしては、尺八全体を収容する長尺な布袋、あるいは尺八の歌口だけを覆う短尺な皮袋などを使っている。
【特許文献１】特になし
【考案の開示】
【考案が解決しようとする課題】
【０００３】
しかしながら、前記した長尺な布袋では、尺八の出し入れ操作が面倒で時間が掛かるという問題がある。一方、短尺な皮袋では、外れ易いため、携帯中に不用意に落してしまうことがあるうえに、コスト高という問題がある。
【０００４】
本考案は、従来のこのような問題点に鑑みなされたもので、ワンタッチで簡単に脱着できて操作性が良いうえに、しっかりと固定でき、低コストの尺八の歌口保護用クリップ式カバーを提供することを目的とする。
【課題を解決するための手段】
【０００５】
前記目的を達成するため、本考案に係る尺八の歌口保護用クリップ式カバーは、歌口の外側傾斜面を覆う斜めカバー板と、歌口上端の外側傾斜面側の略半分を覆う上部カバー板と、歌口の吹込孔の略中央部に垂直に嵌挿される垂直保持板とを一枚の弾性板材を折曲して一体に形成し、前記垂直保持板の横幅のサイズを吹込孔の内径より僅かに大き目とすると共に、垂直保持板中央部に下端開口の長溝を設け、この垂直保持板を上方から吹込孔に挿入したとき、当該垂直保持板の両側が吹込孔内壁に押圧状態に付勢保持されるようしたことを特徴とする。
【考案の効果】
【０００６】
本考案は、以上のとおり構成されるものであるから、尺八の吹込口の歌口部分を上方より押し込むだけでワンタッチで簡単に装着でき、また、上方へ押し上げるだけで簡単に離脱することができ操作性がきわめて良いものである。
【０００７】
また、板材の有するバネ性を利用して尺八の吹込孔内壁に付勢保持するものであるから、しっかりと固定でき、離脱するおそれはきわめて少ないものである。
【０００８】
さらに、全体が小型で一枚の板材を折曲するだけの構造であるから、機能の割には製造コストを廉価にすることができるものである。
【考案を実施するための最良の形態】
【０００９】
以下、本考案に係る尺八の歌口保護用クリップ式カバーを実施するための最良の形態を図面に基づき詳細に説明する。
図１は、同上の一部を切り欠いた使用状態の正面図を示し、図２は、同上の平面図を示し、図３は、図２のＡ−Ａ矢視断面図を示し、図４は、本考案の正面図を示し、図５は、同上の平面図を示し、図６は、同上の側面図を示す。
【００１０】
図において示される符号Ａは、尺八の歌口保護用クリップ式カバーを示し、符号Ｂはその尺八を示す。カバーＡは、斜めカバー板１と、上部カバー板２と、垂直保持板３とを一枚の弾性板材を折曲して一体に形成される。弾性板材としては、金属板プラスチック板を用いる。
【００１１】
一方、尺八Ｂは、所定の間隔を置いて複数の孔１２が穿設された長管状の本体１１を有し、この本体１１の上端に吹込孔１３と連通する歌口１４が、下端にラッパ状の拡管部１５がそれぞれ形成される。
【００１２】
歌口１４は、その正面側を急角度の斜めに切り欠いて外側傾斜面１４ａが形成されると共に、僅かに反対側へ傾斜する歌口上端１４ｂが連設して形成される。
【００１３】
而して、前記カバーＡにおいて、斜めカバー板１は、前記歌口１４の外側傾斜面１４ａに押し込み外接してこの部分を覆うよう略半同状に形成される。
【００１４】
また、前記上部カバー板２は、前記歌口１４の上端１４ｂに当接して外側傾斜面１４ａ側の略半分を覆うよう横長の矩形状に形成される。
【００１５】
さらに、前記垂直保持板３は、前記歌口１４の吹込孔１３の略中央部に垂直状態で嵌挿されるよう縦長の矩形状に形成される。すなわち、この垂直保持板３の横幅のサイズは歌口１４の吹込孔１３中央の内径より僅かに大き目となっている。
【００１６】
前記垂直保持板３の中央部には、下端に開口する長溝４が設けられ、これによって、垂直保持板３を歌口１４の吹込孔１３に上方から挿入したとき、当該垂直保持板３の両側３ａ、３ａが吹込孔１３の内壁１３ａに押圧状態に付勢保持される。なお、前記垂直保持板３両側３ａ、３ａ下端の角部は切り欠かれて丸み３ｂ、３ｂが形成され、垂直保持板３の吹込孔１３の挿入を円滑ならしめている。
【００１７】
使用に際して、尺八Ｂに対する歌口保護用クリップ式カバーＡは次のようにして装着される。
先ず、カバーＡの斜めカバー板１を尺八Ｂの歌口１４正面の外側傾斜面１４ａに沿ってその上端より徐々に押し込み外接すると同時に、垂直保持板３を上方から歌口１４の吹込孔１３の略中央部に垂直状態で押し込む。この押し込み作業は上部カバー２の下面が歌口１４ａの上端１４ｂに当接することによって完了する。
【００１８】
以上のようにして尺八Ｂの吹込孔１３の上端に装着された歌口保護用クリップ式カバーＡは、長溝４を介して併設される垂直保持板３の両側３ａ、３ａが吹込孔１３の内壁１３ａに押圧状態に付勢保持されるため、尺八Ｂに対してしっかりと固定され、従来の皮袋のように不用意に抜けて落ちるおそれはきわめて少ない。
【図面の簡単な説明】
【００１９】
【図１】本考案の一部を切り欠いた使用状態の正面図を示す。
【図２】同上の平面図を示す。
【図３】図２のＡ−Ａ矢視断面図を示す。
【図４】本考案の正面図を示す。
【図５】同上の平面図を示す。
【図６】同上の側面図を示す。
【符号の説明】
【００２０】
Ａ      尺八の歌口保護用クリップ式カバー
Ｂ      尺八
１      斜めカバー板
２      上部カバー板
３      垂直保持板
３ａ    両側
４      長溝
１３    吹込孔
１３ａ  内壁
１４    歌口
【図１】
0003106007.tif 000003
【図２】
0003106007.tif 000004
【図３】
0003106007.tif 000005
【図４】
0003106007.tif 000006
【図５】
0003106007.tif 000007
【図６】
0003106007.tif 000008